(57)【要約】【課題】  発熱効率に優れた乾燥手段を備えたパネル状体洗浄装置を提供する。【解決手段】  洗浄後のパネル状体を乾燥させるための乾燥手段１を備える。乾燥手段１は、回転体２の回転にて吸引・吐出を行なうと共に回転体２と空気との摩擦熱にて吐出空気温度を上昇させるブロワ３と、パネル状体に向けて空気を噴射させる噴射開口部４と、ブロワ３から噴射開口部４に空気を送り出す供給流路５と、パネル状体50に当てられた直後の空気を吸引する吸気開口部６と、吸気開口部６からブロワ３に空気を送り込む吸気流路７と、を有する。【選択図】  図３
2006142178.tif 000002
【特許請求の範囲】
【請求項１】
洗浄後のパネル状体（50）を乾燥させるための乾燥手段（１）を備え、
該乾燥手段（１）は、回転体（２）の回転にて吸引・吐出を行なうと共に該回転体（２）と空気との摩擦熱にて吐出空気温度を上昇させるブロワ（３）と、上記パネル状体（50）に向けて空気を噴射させる噴射開口部（４）と、該ブロワ（３）から該噴射開口部（４）に空気を送り出す供給流路（５）と、該パネル状体（50）に当てられた直後の空気を吸引して回収する吸気開口部（６）と、該吸気開口部（６）から上記ブロワ（３）に空気を送り込む吸気流路（７）と、を有することを特徴とするパネル状体洗浄装置。
【請求項２】
上記パネル状体（50）の搬送方向と直交する幅方向に配設されたスリット状の上記噴射開口部（４）の形状を変形させる開口部変形手段（８）を有し、
該開口部変形手段（８）は、該噴射開口部（４）を形成する弾性変形可能な薄肉板状の壁板部（９）と、該壁板部（９）に沿って上記幅方向に所定間隔を隔てて複数配設されると共に螺進退により該壁板部（９）の変形量を変化させる形状調節ボルト（10）と、を有する請求項１記載のパネル状体洗浄装置。
【請求項３】
上記乾燥手段（１）は、上記噴射開口部（４）と上記吸気開口部（６）が一対配設されて一つのユニットとされる箱状ノズル（11）を有する請求項１又は２記載のパネル状体洗浄装置。
【請求項４】
上記ブロワ（３）は、ブロワ単体（３ａ）を直列状に組み立てた請求項１、２又は３記載のパネル状体洗浄装置。
【請求項５】
上記ブロワ（３）に送り込む空気量を調整する吸気量調整手段（12）を有する請求項１、２、３又は４記載のパネル状体洗浄装置。
【請求項６】
搬送されるパネル状体（50）に向けて空気を噴射させて乾燥させるブロワ（３）の内部に於ける回転体（２）と空気との摩擦熱によって、噴射空気温度を上昇させ、該噴射空気を上記パネル状体（50）に当て、かつ、一旦当てた該噴射空気を直ちに吸引して上記ブロワ（３）へ循環させる乾燥工程（Ｂ）を備えたパネル状体洗浄方法。
【発明の詳細な説明】
【技術分野】
【０００１】
本発明は、パネル状体洗浄装置及びその洗浄方法に係り、より詳しくは、洗浄後のパネル状体を乾燥させる乾燥手段を備えたパネル状体洗浄装置及びその洗浄方法に関する。
【背景技術】
【０００２】
従来、出荷や再利用のために被洗浄物を洗浄する種々の洗浄装置が開示されている。その中には、洗浄後に被洗浄物に付着した水分を取り除くための乾燥手段を備えたものが提案されている（例えば、特許文献１参照）。
特許文献１には、移送中のメダルに対してその側方から赤外線を照射する赤外線ランプと、移送中のメダル列に対してその斜め後方からメダル移送方向に沿うように風を送る送風ファンと、を有する乾燥手段を備えたメダル洗浄装置が開示されている。
【特許文献１】特開平１１−４９５３号公報
【発明の開示】
【発明が解決しようとする課題】
【０００３】
しかしながら、上記特許文献１に開示されたメダル洗浄装置では、乾燥手段のメダルに風を当てる部品とメダルに熱を与える部品（ヒーター）が別体で構成されていたので、乾燥手段の電力消費が大きく、発熱効率が悪いという問題点があった。
また、従来、例えば建物の建設現場に於て使用される防音パネル等のパネル状体を洗浄するために種々のパネル状体洗浄装置が開示されているが、このパネル状体洗浄装置に乾燥手段を設けた場合にも、上記特許文献１と同様の問題点があった。
また、従来、建物の建設現場に於て使用される防音パネル等のパネル状体では、パネル状体の洗浄後に塗装を行なうことがあり、後の塗装工程にすぐに入れるパネル状体洗浄装置が望まれていた。
そこで、本発明は、発熱効率に優れた乾燥手段を備えたパネル状体洗浄装置及びその洗浄方法を提供することを目的とする。
【課題を解決するための手段】
【０００４】
上記の目的を達成するために、本発明に係るパネル状体洗浄装置は、洗浄後のパネル状体を乾燥させるための乾燥手段を備え、該乾燥手段は、回転体の回転にて吸引・吐出を行なうと共に該回転体と空気との摩擦熱にて吐出空気温度を上昇させるブロワと、上記パネル状体に向けて空気を噴射させる噴射開口部と、該ブロワから該噴射開口部に空気を送り出す供給流路と、該パネル状体に当てられた直後の空気を吸引して回収する吸気開口部と、該吸気開口部から上記ブロワに空気を送り込む吸気流路と、を有する。
【０００５】
また、上記パネル状体の搬送方向と直交する幅方向に配設されたスリット状の上記噴射開口部の形状を変形させる開口部変形手段を有し、該開口部変形手段は、該噴射開口部を形成する弾性変形可能な薄肉板状の壁板部と、該壁板部に沿って上記幅方向に所定間隔を隔てて複数配設されると共に螺進退により該壁板部の変形量を変化させる形状調節ボルトと、を有する。
また、上記乾燥手段は、上記噴射開口部と上記吸気開口部が一対配設されて一つのユニットとされる箱状ノズルを有する。
また、上記ブロワは、ブロワ単体を直列状に組み立てたものである。
また、上記ブロワに送り込む空気量を調整する吸気量調整手段を有する。
【０００６】
また、本発明に係るパネル状体洗浄方法は、搬送されるパネル状体に向けて空気を噴射させて乾燥させるブロワの内部に於ける回転体と空気との摩擦熱によって、噴射空気温度を上昇させ、該噴射空気を上記パネル状体に当て、かつ、一旦当てた該噴射空気を直ちに吸引して上記ブロワへ循環させる乾燥工程を備えるものである。
【発明の効果】
【０００７】
本発明のパネル状体洗浄装置によれば、被洗浄物に風を当てる部品と熱を与えるヒーターとを有する乾燥手段を備えた従来のパネル状体洗浄装置と比較して、ヒーターを省略した分、電力消費を低減させることができ、発熱効率に優れた乾燥手段を備えたものとすることができる。
また、発熱効率に優れた乾燥手段を備えるので、パネル状体洗浄装置より下流側で行なわれる塗装工程にすぐに入ることができ、パネル状体の洗浄と塗装を連続的に行なうことができる。
また、パネル状体の形状やパネル状体の洗浄条件に合わせて、噴射開口部を適切な形状に調整することができる。
また、本発明に係るパネル状体洗浄方法によれば、従来の乾燥工程を備えるパネル状体洗浄方法と比較して、被洗浄物に熱を与えるヒーターを省略した分、電力消費を低減させることができ、発熱効率に優れた乾燥工程を備えた方法とすることができる。
【発明を実施するための最良の形態】
【０００８】
以下、実施の形態を示す図面に基づき、本発明を詳説する。
図１及び図２に於て、本発明の実施の一形態に係るパネル状体洗浄装置45は、例えば建物の建設現場に於て使用される浅皿状の防音パネルや、歩み板、あるいは、浅皿トレイ等のパネル状体50を洗浄するための装置である。また、このパネル状体洗浄装置45は、パネル状体50を塗装する塗装工程Ｃの上流側に設置されている。
パネル状体洗浄装置45は、パネル状体50を洗浄する洗浄手段13と、洗浄後のパネル状体50を乾燥させるための乾燥手段１と、を備えている。
洗浄手段13は、洗剤噴射部14と、上下面洗浄ブラシ部15と、側面洗浄ブラシ部16と、高圧水洗浄部17と、すすぎ洗浄部18と、を有している。
【０００９】
図１及び図12に於て、洗剤噴射部14は、パネル状体洗浄装置45の入口部Ｆから表面ゴム製の送りローラ19の駆動にて、（横断面門型の状態で）搬送されてきたパネル状体50に対して、パネル状体50の上下方向から洗剤43を噴射してパネル状体50に洗剤43を付着させるために設けられている。この洗剤噴射部14は、パネル状体50の搬送方向と直交する幅方向（以下、幅方向とする）に延びるように配設されると共にパネル状体50の上下に配設される噴射管28, 28を有している。そして、この噴射管28, 28に設けられた複数の孔部から洗剤43を噴射させることによって、パネル状体50に洗剤43が付着される。この洗剤43は、洗剤リサイクルタンク26に貯蓄されたものを使用する。洗剤リサイクルタンク26は、ポンプ（図示省略）にて噴射管28, 28に供給される洗剤43を貯蓄すると共に、噴射管28から噴射されてパネル状体50に一部付着させた後に回収された洗剤43を再び貯蓄することによって、洗剤43を再利用するために設けられている。
【００１０】
上下面洗浄ブラシ部15は、図１に示すように、洗剤噴射部14による洗剤43が付着されたパネル状体50の上下面を擦って、泥，すす等の汚れを落とすために設けられている。この上下面洗浄ブラシ部15は、パネル状体50の上面側に配設される複数（４つ）の上部ブラシ21…と、各上部ブラシ21と上下方向に対向するようにパネル状体50の下面側に配設される複数（４つ）の下部ブラシ22…と、を有している。
上部ブラシ21…は、上部ブラシ駆動モータ20…によって駆動される。
下部ブラシ22…は、上部ブラシ21…よりも直径が大きく形成されている。また、下部ブラシ22…は、各々下部ブラシ駆動モータ24にて駆動される。下部ブラシ22…は、各々揺動アーム部23によって保持され、各揺動アーム部23は、付勢ばね25にて初期位置を維持する方向に弾発付勢されている。付勢ばね25にて弾発付勢される揺動アーム部23…の揺動によって、段差があるパネル状体50の搬送がスムーズに行なわれるように構成されている。
【００１１】
また、上部ブラシ21…及び下部ブラシ22…は、すべて回転方向が一定というわけではなく時計廻りに回転するものもあれば、反時計廻りに回転するものもある。具体的には、上部ブラシ21…及び下部ブラシ22…は、図１中の矢印方向に回転するように設定されている。また、上部ブラシ21…（又は下部ブラシ22…）の回転方向は、同方向に回転するものが同数ずつ（２個ずつ）配設され、全体としてバランスがよいものとなっている。このように、上部ブラシ21…及び下部ブラシ22…の回転方向に変化をつけることによって、より効率よくパネル状体50の汚れを擦り落とすことができるように構成されている。
【００１２】
側面洗浄ブラシ部16は、洗剤噴射部14による洗剤43が付着されたパネル状体50の側面を擦って、汚れを落とすために設けられている。
図１及び図13に於て、高圧水洗浄部17は、浅い開口箱状のパネル状体50の内側で天板部50ａと側板部50ｂが交わる隅部に付着した汚れを、斜め上方に高圧の水を噴射する隅部噴射ノズル29からの水によって取り除くように構成されている。この高圧水洗浄部17により、上下面洗浄ブラシ部15及び側面洗浄ブラシ部16によって取り除くのが困難な隅部の汚れを、綺麗に取り除くことができる。また、高圧水洗浄部17は、高圧の17ａと超高圧（例えば 350kg／cm3 ）の17ｂとの２種類存在し、17ａは自動で作動させるが、17ｂは必要に応じて作動させる手動式となっている。
【００１３】
図１及び図12に於て、すすぎ洗浄部18は、パネル状体50に付着した洗剤43や汚れを完全に水で流し落とすために設けられている。このすすぎ洗浄部18は、幅方向に延びるように配設されると共にパネル状体50の上下に配設される噴射管46, 46を有している。そして、この噴射管46, 46に設けられた複数の孔部から水44を噴射させることによって、パネル状体50に付着した洗剤43や汚れが水44で流し落とされる。この水44は、水リサイクルタンク27に貯蓄されたものを使用する。水リサイクルタンク27は、ポンプ（図示省略）にて噴射管46, 46に供給される水44を貯蓄すると共に、噴射管46, 46から噴射されてパネル状体50を洗浄した後に回収された水44を再び貯蓄することによって、水44を再利用するために設けられている。
【００１４】
ここで、図３〜図５に於て、乾燥手段１は、回転体２の回転にて吸引・吐出を行なうと共に回転体２（回転羽根，内部ロータ）と空気との摩擦熱にて吐出空気温度を上昇させるブロワ３と、パネル状体50に向けて空気を噴射させる噴射開口部４…と、ブロワ３から噴射開口部４…に空気を送り出す供給流路５…と、パネル状体50に当てられた直後の空気を吸引して回収する吸気開口部６…と、吸気開口部６…からブロワ３に空気を送り込む吸気流路７…と、を有している。  
また、乾燥手段１は、スリット状の噴射開口部（スリットノズル部）４とスリット状の吸気開口部６が一対配設されて一つのユニットとされる直方体状の箱状ノズル11…を有する。
【００１５】
ブロワ３は、ブロワ単体３ａ…を直列状に組み立てて構成されている。各ブロワ単体３ａは、回転体２を有しており、回転体２の回転にて空気の吸引・吐出を行なうと共に空気を圧縮するように構成されている。また、各ブロワ単体３ａの吐出口は、隣接するブロワ単体３ａの吸引口と接続されている（最終段のブロワ単体３ａを除く）。これにより、ブロワ３内部を通過する空気は、各ブロワ単体３ａにより段階的に圧縮されるように構成されている。また、各ブロワ単体３ａが回転体２を有しているので、ブロワ３内部を通過する空気は、各ブロワ単体３ａによって段階的に温度が上昇するように構成されている。
【００１６】
箱状ノズル11は、複数（３つ）設けられ、パネル状体50の上面側に１つ、下面側に２つ配設されている（図１参照）。これら箱状ノズル11…は、長手方向が（パネル状体50の搬送方向と直交する）幅方向と一致するように配設されている。また、パネル状体50と対向する側となる箱状ノズル11の面（上面若しくは下面）に、幅方向に延びる噴射開口部４とスリット状の吸気開口部６が相互に近接状に配設されている。また、幅方向側面には、吸気流路７及び供給流路５の端部が接続されている。
箱状ノズル11の内部には、仕切部33によって、上下に吸引空間部Ｄと吐出空間部Ｅとの２つの空間部が形成されている。吸引空間部Ｄは、吸気流路７の端部及び吸気開口部６と導通しており、吐出空間部Ｅは、供給流路５の端部及び噴射開口部４と導通している。
また、箱状ノズル11は、搬送方向の側面に大きな開口部40を有する開口箱状の箱状ノズル本体32と、箱状ノズル本体32の開口部40を覆うように取り付けられるガイド板部材35と、長細状の調節ボルト保持部材38と、を有している。
【００１７】
箱状ノズル本体32は、幅方向両側面に形成された取付部34，34を有し、この取付部34には、孔部34ｂと上下直列状に複数並んだ長孔部34ａ…が形成されている。
ガイド板部材35は、例えば厚さ 0.8mm〜 1.2mmの一枚の金属板材を折曲げて形成される弾性変形可能な薄肉板状の壁板部９と、壁板部９に溶接等にて固着される補強部材37と、を有している。
壁板部９の幅方向両端部には、孔部36ａ…を有する取付部36，36が形成されている。
補強部材37は、アングル材であり、壁板部９の上下中央付近に溶接等で固着されている。補強部材37により、壁ガイド板部材35の強度を上げて、壁ガイド板部材35の振動を抑制することができる。
調節ボルト保持部材38は、横断面コの字状である。この調節ボルト保持部材38には、幅方向（長手方向）に所定間隔を隔てて複数配設されると共に調節ボルト保持部材38に対して搬送方向に螺進退自在（図５中の矢印Ｈ方向）な形状調節ボルト10…が配設されている。また、調節ボルト保持部材38の幅方向（長手方向）両端部には、孔部38ａ，38ａが形成されている。
【００１８】
上述した箱状ノズル本体32とガイド板部材35と調節ボルト保持部材38は、次のように組み合わされて箱状ノズル11を形成している。
即ち、ガイド板部材35は、箱状ノズル本体32の取付部34，34の長孔部34ａ…にガイド板部材35の取付部36，36の孔部36ａ…を合わせ、その部分をボルト等の固着具（図示省略）にて固定することによって、箱状ノズル本体32に対して取付けられている。そして、ガイド板部材35と箱状ノズル本体32との組合せによって、上述したスリット状の吸気開口部６が形成されている。具体的には、ガイド板部材35と箱状ノズル本体32は、スリット状の噴射開口部４の対向する２つの長辺のうち、１辺ずつを形成している。
【００１９】
また、ガイド板部材35は、箱状ノズル本体32の取付部34，34の長孔部34ａ…を利用して箱状ノズル本体32に取り付けられているので、ガイド板部材35は、箱状ノズル本体32に対して搬送方向に移動調節が可能とされている。これにより、スリット状の噴射開口部４の対向する２つ長辺間の距離を調節することが可能となっている。
また、調節ボルト保持部材38は、箱状ノズル本体32の取付部34，34の孔部34ｂ，34ｂに調節ボルト保持部材38の孔部38ａ，38ａを合わせ、その部分をボルト等の固着具（図示省略）にて固定することによって、箱状ノズル本体32に対して取付けられている。
【００２０】
ここで、本発明の実施の一形態に係るパネル状体洗浄装置45は、パネル状体50の（搬送方向と直交する）幅方向に配設されたスリット状の噴射開口部４の形状を変形させる開口部変形手段８を有している。
この開口部変形手段８は、上述の噴射開口部４を形成する弾性変形可能な薄肉板状の壁板部９と、壁板部９に沿って幅方向に所定間隔を隔てて複数配設されると共に螺進退により壁板部９の変形量を変化させる上述の形状調節ボルト10…と、を有する。
形状調節ボルト10…は、その先端部が壁板部９の表面に当接し、調節ボルト保持部材38に対して螺進退させることによって、壁板部９の表面を押圧して壁板部９の変形量を変化させる。また、形状調節ボルト10…は、調節ボルト保持部材38に対する先端突出量を、各々所定の量に設定することによって、噴射開口部４の形状を、例えば図７に示す凸レンズ型や図８に示す凹レンズ型のような一辺が弯曲状とした形状に変化させることができる。また、図７及び図８に示した以外の形状、例えば台形状にも変化させることができる。
【００２１】
次に、図３及び図９に於て、箱状ノズル11…から延びる吸気流路７…の先端部でブロワ３の吸引側には、フィルタボックス30が接続されている。このフィルタボックス30の内部には、フィルタ31が収納されている。フィルタ31は、箱状ノズル11…の吸気開口部６…から吸引される空気に含まれるごみを取り除く機能を有する。このフィルタ31により、ブロワ３で吸引・吐出が行なわれる空気が循環されても、その空気が常時綺麗な状態を保つことができる。
また、本発明の実施形態は、ブロワ３に送り込む空気量を調整する吸気量調整手段12を有している。この吸気量調整手段12は、フィルタボックス30の側面に設けられた吸気調整孔部41と、吸気調整孔部41を覆うと共に吸気調整孔部41の覆う量を調整可能な吸気調整板42と、を有している。
【００２２】
次に、図１〜図３及び図５を参照して、本発明の実施の一形態に係るパネル状体洗浄装置45の洗浄方法について説明する。
まず、入口部Ｆからパネル状体50を装置に投入する。すると、送りローラ19の駆動によって、パネル状体50は、パネル状体洗浄装置45の内部へ搬送される。
そして、入口部Ｆから送りローラ19の駆動にて装置内部へ搬送されたパネル状体50は、洗浄工程Ａに入る。
具体的にこの洗浄工程Ａを述べると、まず、パネル状体50に対して、洗剤噴射部14により上下方向から洗剤43を噴射してパネル状体50に洗剤43を付着させる。
そして、上下面洗浄ブラシ部15の上部ブラシ21…及び下部ブラシ22…の回転により、パネル状体50の上下面の汚れを擦り落とす。
【００２３】
そして、側面洗浄ブラシ部16により、パネル状体50の側面の汚れを擦り落とす。
そして、高圧水洗浄部17により、浅い開口箱状のパネル状体50の内側で天板部50ａと側板部50ｂが交わる隅部に付着した泥等の汚れを取り除く。この際、必要に応じて、超高圧の17ｂを手動で作動させて、こびりついた汚れを取り除く。
そして、すすぎ洗浄部18により、パネル状体50に付着した洗剤43や汚れを全て水で流し落とす。このすすぎ洗浄部18によるパネル状体50の洗浄により、洗浄工程Ａは終了する。
【００２４】
洗浄工程Ａを経たパネル状体50は、次に、乾燥工程Ｂに入る。即ち、搬送されるパネル状体50に向けて空気を噴射させて乾燥させるブロワ３の内部に於ける回転体２と空気との摩擦熱によって、噴射空気温度を上昇させ、噴射空気をパネル状体50に当て、かつ、一旦当てた噴射空気を直ちに吸引してブロワ３へ循環させる乾燥工程Ｂにて、パネル状体50は乾燥される。より具体的には、噴射空気は、パネル状体50の上面側及び下面側の箱状ノズル11…の噴射開口部４…から噴射されてパネル状体50に当てられ、パネル状体50に当てられた直後、各噴射開口部４に隣接する吸気開口部６から吸引して回収される（図５中の矢印参照）。従って、空気の温度は循環しつつ、しだいに効率よく、上昇する。
そして、乾燥工程Ｂにより乾燥されたパネル状体50は、出口部Ｇからパネル状体洗浄装置45の外へ搬出され、パネル状体洗浄装置45による洗浄が終了する。
なお、パネル状体洗浄装置45の外へ搬出されたパネル状体50は、連続して塗装工程Ｃに入って、パネル状体洗浄装置45による洗浄後すぐに、塗装が行なわれる。
【００２５】
なお、本発明は、上述の実施の形態に限定されず、本発明の要旨を逸脱しない範囲で設計変更可能である。例えば、図10に示すように、開口部変形手段８は、形状調節ボルト10…の先端部が壁板部９の表面に当接すると共に螺進退によりその表面を押圧するように構成したものに限るのではなく、形状調節ボルト10…の先端部と壁板部９とを連結部材39によって連結するように構成するも好ましい。このように構成すれば、形状調節ボルト10…の動き（引き寄せ動作）を、より正確に壁板部９に伝達することができる。
また、吸気開口部６は、一つの大きなスリットにて構成するものに限るのではなく、例えば図11に示すように、複数の小さなスリットにて構成するも好ましい。この場合、吸気開口部６周辺の強度が過度に低下するのを抑制することができ、振動を抑制することができる。
【００２６】
以上のように本発明に係るパネル状体洗浄装置は、洗浄後のパネル状体50を乾燥させるための乾燥手段１を備え、乾燥手段１は、回転体２の回転にて吸引・吐出を行なうと共に回転体２と空気との摩擦熱にて吐出空気温度を上昇させるブロワ３と、パネル状体50に向けて空気を噴射させる噴射開口部４…と、ブロワ３から噴射開口部４…に空気を送り出す供給流路５…と、パネル状体50に当てられた直後の空気を吸引して回収する吸気開口部６…と、吸気開口部６…からブロワ３に空気を送り込む吸気流路７…と、を有するので、ブロワ３の回転体２の回転にて吸引・吐出が行なわれる空気を循環させることができる。これにより、空気を循環させる中で、回転体２と空気との摩擦熱による吐出空気温度の上昇が繰り返し行なわれるようにすることができるので、ヒーターを別に設けることなく、十分な熱をパネル状体50に当てて乾燥させることができる。その結果、被洗浄物に風を当てる部品と熱を与える部品（ヒーター）とを有する乾燥手段を備えた従来のパネル状体洗浄装置と比較して、ヒーターを省略した分、電力消費を低減させることができ、発熱効率に優れた乾燥手段１を備えたパネル状体洗浄装置とすることができる。
また、発熱効率に優れた乾燥手段１を備えることによって、パネル状体洗浄装置45より下流側で行なわれる塗装工程Ｃにすぐに入ることができ、パネル状体50の洗浄と塗装を連続的に行なうことができる。
【００２７】
また、パネル状体50の搬送方向と直交する幅方向に配設されたスリット状の噴射開口部４の形状を変形させる開口部変形手段８を有し、開口部変形手段８は、噴射開口部４を形成する弾性変形可能な薄肉板状の壁板部９と、壁板部９に沿って幅方向に所定間隔を隔てて複数配設されると共に螺進退により壁板部９の変形量を変化させる形状調節ボルト10と、を有するので、パネル状体50に当てる空気の量及び圧力を調整することができる。これにより、パネル状体50の形状やパネル状体50の洗浄条件に合わせて、噴射開口部４を適切な形状に調整することができる。
【００２８】
また、噴射開口部４と吸気開口部６が一対配設されて一つのユニットとなる箱状ノズル11…が形成されているので、噴射開口部４と吸気開口部６との位置関係を容易に維持することができ、噴射開口部４と吸気開口部６が別々に配設されている場合と比較してメインテナンスを容易に行なうことができる。
【００２９】
また、ブロワ３を、ブロワ単体３ａ…を直列状に組み立てて構成することによって、パネル状体50に当てる空気の圧力を容易に高めることができる。また、複数の回転体２を有するので、一つの回転体２のみを有する場合と比較して、空気との摩擦熱による吐出空気温度の上昇が、より効率よく行なわれるように構成することができる。
また、ブロワ３に送り込む空気量を調整する吸気量調整手段12を有することによって、ブロワ３に吸引される空気量と・ブロワ３から吐出される空気量とのバランスを容易にとることができる。これにより、効率よく、パネル状体50に空気を当てることができる。
【００３０】
また、本発明に係るパネル状体洗浄方法は、搬送されるパネル状体50に向けて空気を噴射させて乾燥させるブロワ３の内部に於ける回転体２と空気との摩擦熱によって、噴射空気温度を上昇させ、噴射空気をパネル状体50に当て、かつ、一旦当てた噴射空気を直ちに吸引してブロワ３へ循環させる乾燥工程Ｂを備えるので、空気を循環させる中で、回転体２と空気との摩擦熱による吐出空気温度の上昇が繰り返し行なわれるようにすることができる。これにより、ヒーターを別に設けることなく、十分な熱をパネル状体50に当てて乾燥させることができるので、被洗浄物に風を当てる部品と熱を与える部品（ヒーター）とを有する乾燥手段を備えた従来のパネル状体洗浄装置と比較して、ヒーターを省略した分、電力消費を低減させることができ、発熱効率に優れた乾燥工程を備えたパネル状体洗浄方法とすることができる。
また、発熱効率に優れた乾燥工程を備えるので、乾燥工程Ｂがない場合と比較して、パネル状体50の洗浄後、下流で行なわれる塗装工程Ｃにすぐに入ることが可能なパネル状体洗浄方法とすることができる。
【図面の簡単な説明】
【００３１】
【図１】本発明の実施の一形態に係るパネル状体洗浄装置を示す簡略側面図である。
【図２】塗装工程領域を示す簡略側面図である。
【図３】乾燥手段の全体構成を示す概略図である。
【図４】箱状ノズルの分解斜視図である。
【図５】拡大断面側面図である。
【図６】平面図である。
【図７】噴射開口部の形状を示す概略図である。
【図８】噴射開口部の形状を示す概略図である。
【図９】吸気量調整手段を示すフィルタボックスの一部破断側面図である。
【図１０】他の箱状ノズルの開口部変形手段を示す要部拡大断面側面図である。
【図１１】他の箱状ノズルの平面図である。
【図１２】洗剤噴射部及びすすぎ洗浄部を示す簡略要部正面図である。
【図１３】高圧水洗浄部を示す簡略要部正面図である。
【符号の説明】
【００３２】
１  乾燥手段
２  回転体
３  ブロワ
４  噴射開口部
５  供給流路
６  吸気開口部
７  吸気流路
８  開口部変形手段
９  壁板部
10  形状調節ボルト
11  箱状ノズル
12  吸気量調整手段
45  パネル状体洗浄装置
50  パネル状体
Ｂ  乾燥工程
【図１】
2006142178.tif 000003
【図２】
2006142178.tif 000004
【図３】
2006142178.tif 000005
【図４】
2006142178.tif 000006
【図５】
2006142178.tif 000007
【図６】
2006142178.tif 000008
【図７】
2006142178.tif 000009
【図８】
2006142178.tif 000010
【図９】
2006142178.tif 000011
【図１０】
2006142178.tif 000012
【図１１】
2006142178.tif 000013
【図１２】
2006142178.tif 000014
【図１３】
2006142178.tif 000015